(57)【特許請求の範囲】
【請求項１】
複数の原子時計がそれぞれ発生するパルスの周波数が正常か否かを判断する原子時計チェック部と、
前記原子時計チェック部の判断結果に基づいて前記複数の原子時計のうちの前記発生するパルスの周波数が正常な原子時計を選択する時計選択部と、
前記時計選択部で選択された原子時計から与えられたパルスを計数するカウンタと、
時刻情報をＧＰＳタイムサーバから取得するラベル選択部と、
前記カウンタ及びメモリを備え、前記カウンタが所定数の前記パルスを計数する毎に前記ラベル選択部からの時刻情報を前記メモリに記憶し、前記カウンタがパルスを計数するのに同期して前記メモリに記憶した時刻情報を更新して計時を行う計時部と、
を備え、前記計時部の計時している時刻情報を現在の時刻として出力するものであり、
さらに、周期的なクロックパルスを発生する発振器を有する内部時計を備え、
前記原子時計チェック部は、前記発振器の発生するクロックパルスの周波数に基づいて前記複数の原子時計の発生するパルスの周波数が正常か否かをそれぞれ判断する、
ことを特徴とする計時システム。
【請求項２】
前記複数の原子時計の１つを、自己の発生するパルスの周波数が正常なときに前記時計選択部に優先的に選択されるマスタ原子時計とし、
その他を、自己の発生するパルスの周波数が正常で且つ前記マスタ原子時計の発生するパルスの周波数が異常の場合に、前記時計選択部に選択されるバックアップ原子時計とする、
ことを特徴とする請求項１に記載の計時システム。
【請求項３】
前記原子時計チェック部が前記複数の原子時計の発生するパルスの周波数がすべて異常であると判断した場合に、異常を示す情報を出力することを特徴とする請求項１又は２に記載の計時システム。
【請求項４】
前記原子時計チェック部は、前記発振器の発生するクロックパルスの周波数と、前記複数の原子時計のうちの判断対象の原子時計とは異なる原子時計が発生するパルスの周波数とに基づいて、該判断対象の原子時計の発生するパルスの周波数が正常か否かを判断することを特徴とすることを特徴とする請求項１乃至３のいずれか１項に記載の計時システム。
【請求項５】
前記内部時計は、前記クロックパルスに同期した計時を行って内部時刻情報を作成する手段を有し、
さらに、
前記ラベル選択部は、前記ＧＰＳタイムサーバの複数から選択的に時刻情報を取得するものであり、
前記内部時計が作成した内部時刻情報と前記ＧＰＳタイムサーバから取得した時刻情報とを比較することにより、該ＧＰＳタイムサーバから取得する時刻情報が正常か否かを判断するラベルチェック部を備え、
前記ＧＰＳタイムサーバから取得する時刻情報が正常でないと前記ラベルチェック部が判断した場合、前記ラベル選択部は、それ以降に、該ＧＰＳタイムサーバとは異なる他のＧＰＳタイムサーバから前記時刻情報を取得することを特徴とする請求項１乃至４のいずれか１項に記載の計時システム。
【請求項６】
請求項１乃至５のいずれか１項に記載の計時システムと、
前記計時システムが出力する時刻情報に基づいたサービスを下位装置に提供するサービス提供手段と、
を備えることを特徴とする時刻サービス提供装置。
【請求項７】
前記サービス提供手段は、前記計時システムが出力する時刻情報に基づき、前記下位装置が計時する時刻の監査を行うことを特徴とする請求項６に記載の時刻サービス提供装置。
【請求項８】
請求項６又は７に記載の複数の時刻サービス提供装置と、
前記各時刻サービス提供装置に共用され、該各時刻サービス提供装置の前記原子時計チェック部及び時計選択部に周期的なパルスを与える前記複数の原子時計と、
前記時刻サービス提供装置に共用され、該各時刻サービス提供装置に前記時刻情報を与える複数のＧＰＳタイムサーバとを備え、
前記複数の時刻サービス提供装置は、他の時刻サービス提供装置と対をなして互いに、相手の前記時計選択部に優先的に選択されるマスタ原子時計となる前記原子時計を、自己の前記マスタ原子時計の発生するパルスの周波数が異常の場合に自己の前記時計選択部に選択されるバックアップ原子時計とし、相手の前記バックアップ原子時計を自己の前記マスタ原子時計としてある
ことを特徴とする時刻サービス提供システム。
【発明の詳細な説明】
【技術分野】
【０００１】
本発明は、計時システム、時刻サービス提供装置及び時刻サービス提供システムに関する。
【背景技術】
【０００２】
下記特許文献１には、タイムスタンプサーバや時刻監査を行うアプリケーションサーバに対して、時刻校正を行う時刻校正手段が示されている。
【特許文献１】特開２００３−２４２２７８号公報
【０００３】
特許文献１の時刻校正手段は、時刻ソースとしてのセシウム原子時計と時刻配信サーバとを備え、タイムスタンプサーバやアプリケーションサーバに時刻情報を提供し、タイムスタンプサーバやアプリケーションサーバで計時している時刻を定期的に校正している。
【発明の開示】
【発明が解決しようとする課題】
【０００４】
前述の特許文献１のタイムスタンプサーバやアプリケーションサーバでは、時刻校正手段で計時している時刻情報で校正されるが、時刻校正手段のセシウム原子時計が異常な時刻を出力した場合に、タイムスタンプサーバやアプリケーションサーバの時刻情報も狂うことになる。
【０００５】
本発明は、このような現状に鑑みてなされた発明であり、タイムスタンプサーバやアプリケーションサーバ等の下位装置に、誤った時刻情報を提供することを防止することを目的とする。
【課題を解決するための手段】
【０００６】
上記目的を達成するために、本発明の第１の観点に係る計時システムは、
複数の原子時計がそれぞれ発生するパルスの周波数が正常か否かを判断する原子時計チェック部と、
前記原子時計チェック部の判断結果に基づいて前記複数の原子時計のうちの前記発生するパルスの周波数が正常な原子時計を選択する時計選択部と、
前記時計選択部で選択された原子時計から与えられたパルスを計数するカウンタと、
時刻情報をＧＰＳタイムサーバから取得するラベル選択部と、
前記カウンタ及びメモリを備え、前記カウンタが所定数の前記パルスを計数する毎に前記ラベル選択部からの時刻情報を前記メモリに記憶し、前記カウンタがパルスを計数するのに同期して前記メモリに記憶した時刻情報を更新して計時を行う計時部と、
を備え、前記計時部の計時している時刻情報を現在の時刻として出力するものであり、
さらに、周期的なクロックパルスを発生する発振器を有する内部時計を備え、
前記原子時計チェック部は、前記発振器の発生するクロックパルスの周波数に基づいて前記複数の原子時計の発生するパルスの周波数が正常か否かをそれぞれ判断する、
ことを特徴とする。
【０００７】
なお、前記複数の原子時計の１つを、自己の発生するパルスの周波数が正常なときに前記時計選択部に優先的に選択されるマスタ原子時計とし、
その他を、自己の発生するパルスの周波数が正常で且つ前記マスタ原子時計の発生するパルスの周波数が異常の場合に、前記時計選択部に選択されるバックアップ原子時計とするようにしてもよい。
【０００８】
また、前記原子時計チェック部が前記複数の原子時計の発生するパルスの周波数がすべて異常であると判断した場合に、異常を示す情報を出力してもよい。
【００１０】
また、前記原子時計チェック部は、前記発振器の発生するクロックパルスの周波数と、前記複数の原子時計のうちの判断対象の原子時計とは異なる原子時計が発生するパルスの周波数とに基づいて、該判断対象の原子時計の発生するパルスの周波数が正常か否かを判断してもよい。
【００１１】
また、前記内部時計は、前記クロックパルスに同期した計時を行って内部時刻情報を作成する手段を有し、
さらに、
前記ラベル選択部は、前記ＧＰＳタイムサーバの複数から選択的に時刻情報を取得するものであり、
前記内部時計が作成した内部時刻情報と前記ＧＰＳタイムサーバから取得した時刻情報とを比較することにより、該ＧＰＳタイムサーバから取得する時刻情報が正常か否かを判断するラベルチェック部を備え、
前記ＧＰＳタイムサーバから取得する時刻情報が正常でないと前記ラベルチェック部が判断した場合、前記ラベル選択部は、それ以降に、該ＧＰＳタイムサーバとは異なる他のＧＰＳタイムサーバから前記時刻情報を取得してもよい。
【００１２】
上記目的を達成するために、本発明の第２の観点に係る時刻サービス提供装置は、本発明の第１の観点に係る計時システムと、
前記計時システムが出力する時刻情報に基づいたサービスを下位装置に提供するサービス提供手段と、
を備えることを特徴とする。
【００１３】
この場合、前記サービス提供手段は、前記計時システムが出力する時刻情報に基づき、前記下位装置が計時する時刻の監査を行ってもよい。
【００１４】
上記目的を達成するために、本発明の第３の観点に係る時刻サービス提供システムは、
複数の本発明の第２の観点に係る時刻サービス提供装置と、
前記各時刻サービス提供装置に共用され、該各時刻サービス提供装置の前記原子時計チェック部及び時計選択部に周期的なパルスを与える前記複数の原子時計と、
前記時刻サービス提供装置に共用され、該各時刻サービス提供装置に前記時刻情報を与える複数のＧＰＳタイムサーバとを備え、
前記複数の時刻サービス提供装置は、他の時刻サービス提供装置と対をなして互いに、相手の前記時計選択部に優先的に選択されるマスタ原子時計となる前記原子時計を、自己の前記マスタ原子時計の発生するパルスの周波数が異常の場合に自己の前記時計選択部に選択されるバックアップ原子時計とし、相手の前記バックアップ原子時計を自己の前記マスタ原子時計としてあることを特徴とする。
【発明の効果】
【００１５】
本発明によれば、下位装置に対して、誤った時刻情報を与えたり、誤った時刻情報に基づくサービスを提供する危険性を低減できる。
【発明を実施するための最良の形態】
【００１６】
以下、図面に基き、本発明の実施の形態について詳細に説明する。
［第１の実施形態］
図１は、本発明の第１の実施形態に係る時刻サービス提供システムを示す構成図である。
【００１７】
この時刻サービス提供システムは、時刻サービス提供装置である時刻監査装置１と、例えば２台の原子時計２，３と、例えば２台のＧＰＳタイムサーバ４，５とで構成されている。
【００１８】
各原子時計２，３は、セシウム或いはルビジウムでそれぞれ構成され、周期的なパルスをそれぞれ発生し、時刻監査装置１に与える。周期的なパルスとして、１ＰＰＳ信号と称される１秒周期のパルスを用いる。各ＧＰＳタイムサーバ４，５は、受信機等で構成され、ＧＰＳ（Global Positioning System ）から協定世界時の時刻情報を受信して、時刻監査装置１に与える。
【００１９】
時刻監査装置１には、時刻を計時する計時システム１０が組込まれると共に、時刻監査部２０を備えている。時刻監査システム１は、時刻監査部２０を用いて、ネットワークＮを介して接続された下位装置のタイムスタンプサーバ（ＴＳＳ）３０に対して時刻情報の監査を行う。ネットワークＮには、時刻情報を提供するＮＴＰ（Network  Time  Protocol）サーバ４０等も接続されている。
時刻監査部２０と計測システム１０とは、共通の筐体に納められていてもよいし、個別の筐体に納められていてもよい。
【００２０】
計時システム１０は、時刻監査の基準となる時刻の計時を行うシステムであり、水晶発振器を内蔵する内部時計１１と、原子時計チェック部１２と、時計選択部１３と、計時部１４と、ラベル選択部１５と、ラベルチェック部１６とを備えている。原子時計チェック部１２、時計選択部１３、計時部１４、ラベル選択部１５及びラベルチェック部１６は、個別回路で構成することも可能であるが、時刻監査部２０と共にＣＰＵ等で構成してもよい。
【００２１】
内部時計１１は、水晶発振器を内蔵し、水晶発振器の発振周波数に同期したクロックパルスを出力する。即ち、内部クロックを出力する。内部時計１１は、その内部クロックに同期して計時を行い、時刻情報を作成して出力する。内部時計１１の出力側が、原子時計チェック部１２とラベルチェック部１６とに接続されている。
【００２２】
原子時計チェック部１２は、原子時計２，３の発生するパルスの周波数が正常であるか否かを判断する判断手段であり、内部時計１１から内部クロックが入力され、判断結果を時計選択部１３と時刻監査部２０とに与える構成である。
【００２３】
時計選択部１３は、原子時計２或いは原子時計３から与えられるパルスを選択して計時部１４に与える手段であり、時計選択部１３の出力側が計時部１４に接続されている。
【００２４】
計時部１４は、図示しないカウンタやメモリを備え、これらを利用して時刻を計時し、最新の時刻情報を保持して出力する。計時部１４の出力側は、時刻監査部２０に接続されるとともに、ラベルチェック部１６に接続されている。
【００２５】
ラベル選択部１５は、時刻情報取得手段であり、ＧＰＳタイムサーバ４或いはＧＰＳタイムサーバ５から与えられる時刻情報を選択して計時部１４に与える。
【００２６】
ラベルチェック部１６は、ＧＰＳタイムサーバ４或いはＧＰＳタイムサーバ５から与えられている時刻情報が正常か否かを判断する時刻情報判断手段であり、ラベルチェック部１６には、計時部１４に保持されている時刻情報と、内部時計１１の発生する時刻情報が入力される構成である。ラベルチェック部１６の出力側が、ラベル選択部１５と時刻監査部２０とに接続されている。なお、ラベルチェック部１６は、ＧＰＳタイムサーバ４及びＧＰＳタイムサーバ５から時刻情報を入力するように、ＧＰＳタイムサーバ４及びＧＰＳタイムサーバ５に接続してもよい。
【００２７】
次に、図１の時刻サービス提供システムの動作を説明する。
まず、計時システム１０の動作を、図２及び図３を参照して説明する。
図２及び図３は、計時動作を示すフローチャートである。
【００２８】
原子時計２，３は、周期的なパルスを発生する。時計選択部１３は、原子時計２をマスタとし(マスタ原子時計)、原子時計３をバックアップ(バックアップ原子時計)とし、原子時計２，３の両方が正常と思われる最初の段階では、原子時計２を選択し、その選択した原子時計２が出力するパルスを計時部１４に与える。
【００２９】
ＧＰＳタイムサーバ４，５は、ＧＰＳから時刻情報を逐次受信し、ラベル選択部１５に与える。ラベル選択部１５は、例えばＧＰＳタイムサーバ４をマスタとし、ＧＰＳタイムサーバ５をバックアップとし、両方のＧＰＳタイムサーバ４，５が正常と思われる最初の段階では、ＧＰＳタイムサーバ４を選択し、その選択したＧＰＳタイムサーバ４から与えられた時刻情報を計時部１４に与える。時刻情報は、年、月、日、時、分、秒を示す情報である。
【００３０】
計時部１４は、ステップＳ１〜ステップＳ３の循環ループで計時を行う。即ち、計時部１４は、ステップＳ１でラベル選択部１５から与えられた時刻情報を基準値としてメモリに記憶させ、カウンタをリセットする。計時部１４は、ステップＳ１で時刻情報が記憶された以降に、時計選択部１３から与えられるマスタ原子時計のパルスをカウンタを用いて計数する度に更新して計時を行っている。（ステップＳ２）。
【００３１】
計時部１４は、計数したパルス数が所定値になったときに（ステップＳ３：ＹＥＳ）、その時点でラベル選択部１５から与えられている時刻情報をメモリに記憶させ、時刻情報を取り込む。（ステップＳ１）。
【００３２】
一方、内部時計１１も、内蔵する水晶発振器の発振周波数に同期した内部クロックを発生すると共に、その内部クロックに同期した時刻を計時し、時刻情報を出力する。内部時計１１の発生する内部クロックは、原子時計チェック部１２に与えられる。内部時計１１の出力する時刻情報は、ラベルチェック部１６に与えられる。
【００３３】
原子時計チェック部１２は、定期的に原子時計２，３から与えられているパルスの周波数が正常であるか否かをチェックする原子時計チェックタイミングを設けている。
原子時計チェックタイミングにおいて、原子時計チェック部１２は、原子時計２の発生するパルスの周波数と内部クロックの周波数とを比較し、さらに、原子時計２の発生するパルスの周波数と原子時計３が発生するパルスの周波数とを比較し、これらの比較結果から、原子時計２の発生するパルスの周波数が正常であるか否かを判断する。同様に、原子時計チェック部１２は、原子時計３の発生するパルスの周波数と内部クロックの周波数とを比較し、さらに、原子時計３の発生するパルスの周波数と原子時計２が発生するパルスの周波数とを比較し、これらの比較結果から、原子時計３の発生するパルスの周波数が正常であるか否かを判断する。
【００３４】
計時部１４で計数しているパルスが所定値になっていないタイミングで（ステップＳ３：ＮＯ）、原子時計チェックタイミングになると（ステップＳ４）、原子時計チェック部１２は、原子時計２が時計選択部１３で選択されている場合には（ステップＳ５：ＹＥＳ）、原子時計２の発生するパルスの周波数が正常であるか否かを判断する（ステップＳ６）。
【００３５】
原子時計２の発生するパルスの周波数が正常でない場合（ステップＳ６：ＮＯ）、原子時計３の発生するパルスの周波数が正常であるか否かを判断する（ステップＳ７）。原子時計チェック部１２は、原子時計３の発生するパルスの周波数が正常である場合（ステップＳ７：ＹＥＳ）、時計選択部１３に指示を与えて原子時計３を選択させる。即ち、原子時計２，３の選択切り替えを行う（ステップＳ８）。
【００３６】
原子時計３の発生するパルスの周波数が正常でない場合（ステップＳ７：ＮＯ）、計時部１４による計時に信頼性がなくなるので、異常を示す情報を時刻監査部２０に与え、サービスの提供を停止させる（ステップＳ９ａ）。また、このとき管理者に警告を発生するようにしてもよい。
【００３７】
一方、ステップＳ５において、原子時計３が時計選択部１３で選択されている場合（ステップＳ５：ＮＯ）、原子時計３の発生するパルスの周波数が正常か否かを判断する。この場合は、原子時計２の発生するパルスの周波数が正常でないので、原子時計３の発生するパルスが正常であるか否かは、原子時計３の発生するパルスの周波数を内部クロックと比較した結果で判断する。原子時計チェック部１２は、原子時計３の発生するパルスの周波数が正常でないと判断した場合（ステップＳ１１：ＮＯ）、計時部１４による計時に信頼性がなくなるので、異常を示す情報を時刻監査部２０に与え、サービスの提供を停止させる（ステップＳ９ｂ）。このとき管理者に警告を発生するようにしてもよい。
【００３８】
原子時計チェック部１２が、原子時計２，３の発生するパルスに対する判断を行うために原子時計チェックタイミングを持つのに対し、ラベルチェック部１６は、計時部１４が出力する時刻情報に対する判断を行う時刻情報チェックタイミングを持つ。
【００３９】
原子時計のチェックタイミングでなく（ステップＳ４：ＮＯ）、ステップＳ６で原子時計２の発生するパルスの周波数が正常であると判断された場合（ステップＳ６：ＹＥＳ）、ステップＳ１１で原子時計３の発生するパルスの周波数が正常であると判断された場合（ステップＳ１１：ＹＥＳ）、或いはステップＳ８で時計選択部１５での選択が切り替えられた後に、時刻情報チェックタイミングになると、（図３ステップＳ１２：ＹＥＳ）、ラベルチェック部１６は、内部時計１１が発生した時刻情報と計時部１４のメモリにその時点で記憶されている時刻情報の比較を行い、両時刻情報の差分が前回の比較よりも増加しているか否かを検出する。
【００４０】
ここで、両時刻情報の差分の増加が所定値を超えた場合（ステップＳ１３：ＹＥＳ）、ラベルチェック部１６は、ラベル選択部１５がＧＰＳタイムサーバ４を選択しているか否かを確認する。ラベル選択部１５がＧＰＳタイムサーバ４を選択している場合（ステップＳ１４：ＹＥＳ）、ラベル選択部１５に指示を出し、ＧＰＳタイムサーバ５を選択させる（ステップＳ１５）。即ち、選択切り替えを行う。ラベル選択部１５がＧＰＳタイムサーバ５を選択している場合（ステップＳ１４：ＮＯ）、ＧＰＳタイムサーバ４，５の両方から与えられる時刻情報が異常であると考えられるので、異常を示す情報を時刻監査部２０に与え、サービスの提供を停止させる（ステップＳ９ｃ）。
【００４１】
時刻情報チェックタイミングになっていない場合（ステップＳ１２：ＮＯ）、時刻情報の差分の増加が所定値以下の場合（ステップＳ１３：ＮＯ）、及びＧＰＳタイムサーバの選択切り替えを行った場合（ステップＳ１５）後には、処理をステップＳ２に移し、計時を継続する。
【００４２】
上記の動作を行う計時システム１０に対し、時刻監査部２０は、ネットワークＮを介して接続されたクライアントのタイムスタンプサーバ（ＴＳＳ）３０からの要求に応じ、計時部１４のメモリに記憶されている時刻情報を読出し、タイムスタンプサーバ３０で計時している時刻と比較し、その差分を求めてタイムスタンプサーバ３０に伝送する。また、クライアントがＮＴＰ（Network  Time  Protocol）サーバ４０の場合、時刻監査部２０は計時部１４で更新して保持している時刻情報を逐次送信する。
【００４３】
以上のように、本実施形態の時刻監査装置１は、計時システム１０を備え、計時システム１０の出力する時刻情報に基いて時刻監査を行っている。
ここで、計時システム１０は、原子時計２，３の２つの原子時計を備え、例えば原子時計２に異常が発生した場合でも、原子時計３に切り替えることができ、時刻情報の更新を正確に行うことができる。また、時刻情報の情報源としてのＧＰＳタイムサーバ４，５に関しても、ＧＰＳタイムサーバ４とＧＰＳタイムサーバ５を切り替えて選択するので、正確な時刻情報を計時部１４で保持できる。
【００４４】
［第２の実施形態］
図４は、本発明の第２の実施形態に係る時刻サービス提供システムを示す構成図である。
【００４５】
前述の第１の実施形態では、時刻監査装置１が１台の場合の時刻サービス提供システムを示したが、本実施形態では、複数台の時刻監査装置から構成される時刻サービス提供システムを示す。
【００４６】
図４の時刻サービス提供システムは、２台の原子時計２，３と、２台のＧＰＳタイムサーバ４，５と、２台の時刻監査装置６，７とで構成されている。
２台の時刻監査装置６，７は、原子時計２，３及びＧＰＳタイムサーバ４，５を共用する構成である。各時刻監査装置６，７は、第１の実施形態の時刻監査装置１と同様の構成であるが、時刻監査装置６，７は、互いの計時部１０で計時している時刻情報を更新するタイミングと、情報源であるＧＰＳタイムサーバ４，５から時刻情報を取り込むタイミングとを揃える機能を持つ。このような機能は、例えば、時刻監査装置６，７は、互いの原子時計の１つを他方の時刻監査装置７，６に加えたり、時刻監査装置６，７で用いる内部クロックを同期させたり、互いの時刻情報の情報源であるＧＰＳタイムサーバ４，５の１つを他方の時刻監査装置７，６に加えることにより、実現可能になる。特に、時刻監査装置６，７は、互いに、相手のマスタ原子時計を自己のバックアップ原子時計とし、相手のバックアップ原子時計を自己のマスタ原子時計としてある。このため、時刻監査装置６，７の一方のマスタ原子時計のパルス周期に異常が生じても、時刻監査装置６，７の他方は正常なマスタ原子時計のパルス周期で時を刻むので、システムとしては常に原子時計の精度で時刻情報が提供可能となる。例えば、時刻監査装置６，７の一方のマスタ原子時計のパルス周期に異常が生じた時点で、クライアントに時刻監査装置６，７の一方の異常を通知しておけば、クライアントは時刻監査装置６，７の一方の上述の通りマスタ原子時計とバックアップ原子時計との切り替えに要する間を待つことなく、すなわち、新たにマスタ原子時計へと切り替えられた原子時計からのパルスの発生を待つことなく、時刻監査装置６，７の他方にサービスを要求することが可能になる。
【００４７】
以上のように、２台の時刻監査装置６，７を持つ時刻サービス提供システムでは、第１の実施形態と同様に、原子時計２，３のいずれか一方に異常が発生しても、或いはＧＰＳタイムサーバ４，５のいずれか一方に異常が発生した場合でも、正確な時刻を計時することができる。また、時刻監査装置６，７で、計時する時刻情報を更新するタイミングと、時刻情報を更新する更新するタイミングを共通にすることにより、クライアントに対して同じサービスを提供することが可能になる。
【００４８】
なお、本発明は、上記実施形態に限定されず、種々の変形が可能である。
例えば原子時計２，３の数は、３以上にして、それらから正常な原子時計を選択してもよい。
【００４９】
また、時刻情報の情報源としてのＧＰＳタイムサーバ４，５を３台以上にして、それらから選択したＧＰＳタイムサーバから時刻情報を入力してもよい。
【００５０】
また、ＧＰＳタイムサーバ４，５を設けず、外部のＮＴＰ装置４０から与えられた時刻情報を計時部１４のメモリに記憶させる構成にしてもよい。
【図面の簡単な説明】
【００５１】
【図１】本発明の第１の実施形態に係る時刻サービス提供システムを示すブロック図である。
【図２】計時動作を示すフローチャートである。
【図３】計時動作を示すフローチャートである。
【図４】本発明の第２の実施形態に係る時刻サービス提供システムを示すブロック図である。
【符号の説明】
【００５２】
１，６，７      時刻監査装置
２，３          原子時計
４，５          ＧＰＳタイムサーバ
１０            計時システム
１１            内部時計
１２            原子時計チェック部
１３            時計選択部
１４            計時部
１５            ラベル選択部
１６            ラベルチェック部
２０            時刻監査部
３０            タイムスタンプサーバ
４０            ＮＴＰサーバ
【図１】
0004734115.tif 000002
【図２】
0004734115.tif 000003
【図３】
0004734115.tif 000004
【図４】
0004734115.tif 000005